(57)【要約】【課題】  地図上の地図名称の検索を容易に行うことができる「地図名称検索機能を備えた電子装置および地図名称の検索方法」を提供する。【解決手段】  電子装置１００は、地図データを記憶する地図データ記憶手段１１０と、地図データ記憶手段１１０から読み出された地図データに基づきディスプレイ１２０上に地図を表示する地図表示手段１３０と、ディスプレイに表示された地図から地図名称を選択し入力する入力手段１４０と、地図名称に関連するキーワード群を複数記憶するキーワード群記憶手段１５０と、地図名称の入力があったとき、キーワード群記憶手段から入力された地図名称に関連するキーワード群を選択し、これをディスプレイに表示するキーワード群表示手段１６０と、入力された地図名称とキーワード群から選択されたキーワードとを用いて、入力された地図名称に関連する情報の検索を可能とする地図名称検索手段１７０とを有する。【選択図】      図１
2005084291.tif 000002
【特許請求の範囲】
【請求項１】
地図データを記憶する地図データ記憶手段と、
前記地図データ記憶手段から読み出された地図データに基づきディスプレイ上に地図を表示する地図表示手段と、
ディスプレイに表示された地図上から地図名称を選択し入力する入力手段と、
地図名称に関連するキーワード群を予め記憶するキーワード群記憶手段と、
前記地図名称の入力があったとき、前記キーワード群記憶手段から前記入力された地図名称に関連するキーワード群を選択し、これを前記ディスプレイに表示するキーワード群表示手段と、
前記入力された地図名称と前記キーワード群から選択されたキーワードとを用いて、前記入力された地図名称に関連する情報の検索を可能とする地図名称検索手段とを有する、電子装置。
【請求項２】
前記電子装置は、データ通信手段を含み、前記検索手段は前記データ通信手段を介してインターネット接続されたサーバーから関連する情報の検索を可能とする、請求項１に記載の電子装置。
【請求項３】
前記キーワード群記憶手段は、複数のカテゴリー毎に複数の共通キーワード群を含み、前記キーワード群表示手段は、前記入力された地図名称に対応するカテゴリーの共通キーワード群を表示する、請求項１または２に記載の電子装置。
【請求項４】
前記キーワード群記憶手段は、地図名称に固有のキーワード群を含み、前記キーワード群表示手段は、前記入力された地図名称が固有のキーワードを有するか否かを判定し、有していると判定したとき該当する固有のキーワード群を表示する、請求項１、２または３に記載の電子装置。
【請求項５】
前記キーワード群記憶手段は、各々のキーワードの時期を識別するための識別情報を含み、前記キーワード群表示手段は、前記識別情報に基づきキーワード群に含まれるキーワードの提示の優先順位を決定する、請求項１、２、３または４に記載の電子装置。
【請求項６】
前記電子装置は、前記検索手段によって検索された地図名称に関する検索結果をディスプレイに表示する検索結果表示手段を含み、前記検索結果表示手段は、前記入力された地図名称の属する地点の情報を含む検索結果を優先的に表示する、請求項１に記載の電子装置。
【請求項７】
前記電子装置は、ナビゲーション機能を備えた車載用のナビゲーション装置である、請求項１、２、３、４、５または６に記載の電子装置。
【請求項８】
ディスプレイに表示された地図に含まれる地図名称に関する情報を検索する方法であって、
ディスプレイに表示された地図上の地図名称を入力するステップと、
入力された地図名称に関連するキーワード群を表示するステップと、
キーワード群から少なくとも一つのキーワードを選択するステップと、
入力された地図名称および選択されたキーワードを用いて、当該入力された地図名称に関する情報を検索するステップとを有する、地図名称の検索方法。
【請求項９】
前記検索ステップは、インターネットに接続するたサーバーから情報を検索する、請求項８に記載の地図名称の検索方法。
【発明の詳細な説明】
【技術分野】
【０００１】
本発明は、地図名称検索機能を備えた電子装置および地図上の地図名称を検索する方法に関し、特に、車載用のナビゲーション装置において、ディスプレイに表示された地図上の地図名称に関する情報をインターネット検索することに関する。
【背景技術】
【０００２】
車載用のナビゲーション装置は、車両の現在位置を検出することで、ＤＶＤ、ＨＤＤ等の地図記憶媒体から車両位置周辺の地図データを読み出し、ディスプレイ上に地図画面に描画するとともに該地図上に車両マークを重ねて描画する。車両の移動により現在位置が変化すると、それに合わせて地図をスクロールさせたりあるいは地図上の車両マークを移動させ、ユーザーに車両位置周辺の地図情報を判りやすく提示している。
【０００３】
ディスプレイに表示される地図上の施設や地域等の地図名称に関する情報を得ようとする場合、ナビゲーション装置の通信機能を利用しインターネット検索により種々の情報を得ることが可能となっている。
【０００４】
例えば、特許文献１のインターネット用のブラウザ装置は、周辺地図内に表示された地名データを取得し、これを文字列に変換し、インターネットを介してサイトの検索手段に送信することで、その地名データを検索キーとして利用するものである。
【０００５】
【特許文献１】特開平１１−２７２６８７号
【発明の開示】
【発明が解決しようとする課題】
【０００６】
特許文献１に示されるように、ディスプレイに表示された地図上の施設名や地名を検索キーワードに用いてインターネット検索を行うことは便利であるが、インターネット上に同じ名称のウエブもしくはサイトが数多く存在する場合、検索結果が膨大となってしまい、再び絞り込み検索を行う必要がある。絞り込み検索を行う場合、絞り込みのためのキーワードを手動により文字入力しなければならないが、一般に、ナビゲーション装置の入力手段はリモコンやポインティングデバイスであるため、文字入力をするには多大な労力を要し、ユーザにとっては使い勝手が必ずしも良くなかった。
【０００７】
本発明は、上記従来の課題を解決し、ディスプレイに表示された地図上の地図名称の検索を容易に行うことができる電子装置および地図名称の検索方法を提供することを目的とする。
【課題を解決するための手段】
【０００８】
本発明に係る電子装置は、地図データを記憶する地図データ記憶手段と、地図データ記憶手段から読み出された地図データに基づきディスプレイ上に地図を表示する地図表示手段と、ディスプレイに表示された地図上から地図名称を選択し入力する入力手段と、地図名称に関連するキーワード群を予め記憶するキーワード群記憶手段と、地図名称の入力があったとき、キーワード群記憶手段から入力された地図名称に関連するキーワード群を選択し、これをディスプレイに表示するキーワード群表示手段と、入力された地図名称と前記キーワード群から選択されたキーワードとを用いて、入力された地図名称に関連する情報の検索を可能とする地図名称検索手段とを有する。
【０００９】
好ましくは電子装置は、データ通信手段を含み、検索手段はデータ通信手段を介してインターネット接続されたサーバーから関連する情報の検索を可能とする。さらに好ましくは、電子装置はナビゲーション機能を備えた車載用のナビゲーション装置である。
【００１０】
本発明に係る、ディスプレイに表示された地図に含まれる地図名称に関する情報を検索する方法は、ディスプレイに表示された地図上の地図名称を入力するステップと、入力された地図名称に関連するキーワード群を表示するステップと、キーワード群から少なくとも一つのキーワードを選択するステップと、入力された地図名称および選択されたキーワードを用いて、当該入力された地図名称に関する情報を検索するステップとを有する。
【発明の効果】
【００１１】
本発明に係る電子装置は、ディスプレイに表示された地図上から地図名称の検索を行うとき、地図名称に関連するキーワード群を表示し、そこから所望のキーワードを選択できるようにしたので、ユーザは文字入力をする手間を省くことができ操作性を改善することができる。さらに、ユーザの求めるキーワードを利用して効率的な絞込み検索を行うことができ、特に、インターネットによる検索の場合には、膨大な情報からの絞込みを効率よく行うことができる。
【発明を実施するための最良の形態】
【００１２】
以下、本発明を実施するための最良の形態について、図面を参照して詳細に説明する。図１は、本発明に係る電子装置の機能ブロック図を示す図である。電子装置１００は、地図データを記憶する地図データ記憶手段１１０と、地図データ記憶手段１１０から読み出された地図データに基づきディスプレイ１２０上に地図を表示する地図表示手段１３０と、ディスプレイ１２０に表示された地図から地図名称を選択し入力する入力手段１４０と、地図名称に関連するキーワード群を予め複数記憶するキーワード群記憶手段１５０と、地図名称の入力があったとき、キーワード群記憶手段１５０から入力された地図名称に関連するキーワード群を選択し、これをディスプレイ１２０に表示するキーワード群表示手段１６０と、入力された地図名称とキーワード群から選択されたキーワードとを用いて、入力された地図名称に関連する情報の検索を可能とする地図名称検索手段１７０と、インターネット接続を可能とするデータ通信手段１８０と、地図名称の検索結果をディスプレイ１２０に表示する検索結果表示手段１９０とを有する。地図表示手段１３０、キーワード群表示手段１６０、地図名称検索手段１７０および検索結果表示手段１９０は、電子装置１００の各部を制御する制御手段２００に含まれる。
【００１３】
本発明に係る電子装置１００は、ディスプレイ１２０に地図を表示し、その地図上から地図名称を検索することが可能であり、例えば、パーソナルコンピュータ、ナビゲーション装置、あるいはナビゲーション機能やオーディオ機能等を複合的に備えた電子装置もしくは電子システムによって実現される。以下、車載用のナビゲーション装置により本発明を実施する例を説明する。
【実施例】
【００１４】
図１は本実施例に係るナビゲーション装置の構成を示すブロック図である。ナビゲーション装置１は、ＧＰＳ受信機１０、自立航法用センサ１１、ＶＩＣＳ・ＦＭ多重レシーバ１２、操作パネル２０、音声入力部２１、リモコン操作部２２、入力インターフェース２３、地図データ等を記憶する記憶装置３０、音声出力部４０、スピーカ４１、表示制御部５０、ディスプレイ５１、プログラムメモリ６０、データメモリ７０、および各部を制御する制御部８０を含む。
【００１５】
ＧＰＳ受信機１０は、人工衛星（ＧＰＳ衛星）からの電波を受信し車両の現在位置と現在方位を測定する。測定された位置情報は、車両の緯度、経度、および標高についてのデータを含む。自立航法用センサ１１は、車両の移動距離を検出する車速センサや車両の回転角度を検出する角度を含む。ＧＰＳ受信機１０および自立航法用センサ１１の出力信号は、制御部８０に供給され、制御部８０はこれらの出力信号に基づき車両の現在位置および方位を算出する。
【００１６】
ＶＩＣＳ・ＦＭ多重レシーバ１２は、アンテナ１３を介して車両外部の現在の道路交通情報を逐次受信する。ＶＩＣＳ(Vehicle Information & Communication System)は、道路交通情報をリアルタイムで提供するもので、ＦＭ多重（文字放送）、電波ビーコン、光ビーコンにより情報を送信する。
【００１７】
操作パネル２０、音声入力部２１およびリモコン操作部２２は、ナビゲーション装置１の入力を構成する。ユーザは、これらの入力を介してナビゲーション装置１に対して目的地までの検索、目的地までのルートの探索、ディスプレイ画面の設定変更等の各種の指示や設定を与える。
【００１８】
操作パネル２０は、例えば、ディスプレイ５１の下部に設けられた複数の操作キー５２を用いることができる。音声入力部２１は、図示されない音声入力マイクからユーザーの音声入力を入力インターフェース２３へ伝達し、ここで音声アナログ信号をデジタル信号に変換する。リモコン操作部２２は複数の入力キーやディスプレイ５１のメニュー項目等を選択するためのポインティングデバイスを含み、ユーザが入力キーやポインティングデバイスを操作したとき、その入力操作を無線を通して入力インターフェース２３へ伝達する。入力インターフェース２３は、操作パネル２０、音声入力部２１、リモコン操作部２２に接続され、ユーザーにより入力された入力情報を制御部８０に伝える。
【００１９】
記憶装置３０は、ハードディスクドライブ（ＨＤＤ）、ＤＶＤ、ＣＤ−ＲＯＭ等の記録媒体であって、ナビゲーション装置に必要とされる地図データ、住所、電話、施設等のデータベースを含み、さらに、ナビゲーション装置の各種の機能を実行するためのプログラムを記憶することができる。
【００２０】
さらに本発明に係る記憶装置３０は、ユーザがディスプレイ５１に表示された地図上から地図名称に関する情報の検索を行うときに利用される、地図名称に関連したキーワード群を記憶する。キーワード群は、例えば、地図上の施設名称（遊園地、スキー場、博物館など）に関連するキーワードや、地域名（市区町村の地域名など）に関連するキーワードを含む。
【００２１】
図３はキーワード群の記憶内容を説明する図である。地図上の地図名称は、例えば、施設名称、地域名等を含む。これらの地図名称に合わせて予めキーワード群が用意される。図３（ａ）は、施設名称についてのキーワード群の記憶内容を示すテーブルである。施設名称は、そのジャンルから複数のカテゴリーに分類される。例えば、遊園地、スキー場、温泉地、博物館等である。これらのカテゴリー毎に共通のキーワード群と、著名な施設等に関しての固有のキーワード群が与えられる。例えば、遊園地の場合、その共通のキーワード群は番地Ａに記憶され、固有のキーワードは番地ＡＡに記憶される。他のスキー場、温泉地、博物館等についても同様に図示される番地に記憶される。
【００２２】
図３（ｂ）は、地域名についてのキーワード群の記憶内容を示すテーブルである。地域名は、行政区の階層レベル毎に固有キーワード群が与えられる。例えば、都道府県レベルの固有キーワード群は番地ＦＦに記憶される。それより下の階層の市区の固有キーワード群は番地ＧＧ、町村の固有キーワード群は番地ＨＨ、それよりも細かいレベルの通り（ストリート）や地域は番地ＩＩにて記憶される。
【００２３】
図４（ａ）は、施設名称の“遊園地”についての共通キーワード群と固有のキーワード群の例を示す図である。上記したように、“遊園地”の共通キーワード群は番地Ａに記憶され、そこには、遊園地に関連するキーワードとして、駐車場、営業時間、入園料、乗り物等が用意されている。また、遊園地のすべてに固有のキーワードを付すことは困難であるため、特に著名な遊園地（○○遊園地、△△遊園地、□□パーク、××ランド）には、固有のキーワード群が設定されている。
【００２４】
図４（ｂ）は、地域名の“都道府県”についての固有キーワード群の例を示す図である。都道府県（○○県）に関する固有キーワード群は、番地ＦＦに記憶される。例えば、その都道府県の特色となる産業、名産、観光地等がキーワードとして登録されている。同様に、それよりも下のレベルの市区町村についても、その地域の特色を示したキーワードが付与される。
【００２５】
データ通信制御部３１は、無線によりデータの送受信を行う。データ通信制御部３１は、データの送受信を行う通信装置をナビゲーション装置に内蔵するものであってもよいし、携帯電話や通信機能を有する電子装置をナビゲーション装置に外付けするものであってもよい。データ通信制御部３１は、外部のサーバー等とネットワークを介して通信を行い、インターネットに接続することが可能である。
【００２６】
音声出力部４０はスピーカ４１を含み、制御部８０の制御によりスピーカ４１から音声を出力させる。例えば、目的地に到達するまでの情報として交差点の手前で進路方向の注意を促す音声を出力をしたり、あるいは、ユーザがナビゲーション装置に対して対話形式により入力を行うときに、ユーザに操作入力の音声指示を出力する。さらに、音声出力部４０は、ナビゲーション装置によりオーディオ機能またはＴＶ受信機能が実行されるとき、音楽やＴＶ受信による音声を出力する。
【００２７】
表示制御部５０は、ディスプレイ５１に接続され、制御部８０の制御下において、記憶装置３０またはデータメモリ７０から読み出されたデータに基づき、ディスプレイ５１に地図を表示したり、あるいは地図上に、車両の現在位置を示す車両マーク、目的地までのルート、交差点等の分岐点での案内表示および施設のランドマーク等を合成させる。表示制御部５０は、好ましくはＦＩＦＯ等のＶＲＡＭを含み、記憶装置３０やデータメモリ７０から読み出された地図、道路、案内表示に関するデータをＶＲＡＭに記憶し、ＶＲＡＭから読み出された地図データに各種データを合成させる。ディスプレイ５１は、例えば、液晶やプラズマを用いた横長のワイド画面を用いることが可能であり、表示制御部５０はこれを２画面に分割して表示をすることも可能である。
【００２８】
プログラムメモリ６０は、ナビゲーション装置において実行される各種プログラムを記憶し、これらのプログラムは制御部８０によって実行される。プログラムメモリ６０は、例えば書き換え可能なＲＡＭを用いて構成され、記憶装置３０に記憶されたプログラムを読み出すようにしても良いし、あるいは、予めプログラムを記憶したＲＯＭを用いることもできる。
【００２９】
プログラムの内容は、例えば、目的地までの経路を探索するプログラム６１、インターネット接続を行うプログラム６２、地図名称の検索を実行するための検索プログラム６３等を含む。
【００３０】
データメモリ７０は、制御部８０によって処理された各種演算の処理結果や記憶装置３０から読み出された地図データ７１等を記憶する。データメモリ７０は、目的地までの経路の探索が行われたとき、探索された誘導経路データ７２や、地図名称を検索するときに表示するキーワード群７３やインターネットを介して入手された地図名称に関する検索結果情報７４を記憶する。データメモリ７０は、ＤＲＡＭ、ＳＲＡＭ、フラッシュメモリ等を用いることができる。ナビゲーション装置の使用後に、データメモリ７０の内容を記憶装置３０に転送するようにしてもよい。また、ナビゲーション装置１に装着可能な外部メモリ７６をデータメモリ７０と併用するものであってもよい。
【００３１】
次に、本実施例における地図名称の検索動作について説明する。ディスプレイ５１に地図が表示されている状態（ステップＳ１０１）から、ユーザによって検索したい地図名称の入力が行われると（ステップＳ１０２）、ディスプレイ５１上に自動的にインターネット検索のメニュー項目が表示される（ステップＳ１０３）。ユーザによってインターネット検索の指示が成された場合、インターネット接続プログラム６２によりデータ通信制御部３１を介してインターネットの接続が行われる。同時に、検索プログラム６３が起動され、制御部８０は、入力された地図名称に対応するカテゴリーを選択し、そのカテゴリーから共通キーワード群の読出しを行う（ステップＳ１０４）。また、制御部８０は、地図名称に固有キーワード群が設定されているか否かのチェックを行い（ステップＳ１０５）、固有キーワード群が設定されている場合には、その固有キーワード群の読出しを行う（ステップＳ１０６）。
【００３２】
次に、制御部８０は、読み出された共通キーワード群と固有キーワード群（固有キーワードが設定されている場合に限る）とをディスプレイ５１に表示させる（ステップＳ１０７）。ユーザは、操作パネルやポインティングデバイスを用いて、所望のキーワードを選択するだけで、キーワードの入力を行うことができる。これによって、地図名称に加えて、キーワード群から選択されたキーワードによって検索キーワードが設定される（ステップＳ１０８）。制御部８０は、地図名称および選択されたキーワードにより、地図名称に関する情報をインターネット上から検索する（ステップＳ１０９）。検索結果は、データ通信制御部を介して受け取られ、ディスプレイ５１に表示される（ステップＳ１１０）。こうしてユーザは、検索結果の中から地図名称に関する所望の情報を入手する。
【００３３】
以上の地図名称の検索動作は、ナビゲーション装置によりルートを案内するときの地図画面から行っても良いし、ルート案内時以外の自車位置周辺の地図を表示しているときに行ってもよい。さらに、ユーザが所望の地図エリアをディスプレイ５１に表示させたときに行うものでも良い。
【００３４】
次に、施設名称として“東京ディズニーランド”の情報を検索する例を示す。図６（ａ）に示すように、ディスプレイ５１の地図上から、東京ディズニーランドのランドマークＴＤＬをユーザが選択する。制御部８０は、東京ディズニーランドの施設名称から、これが遊園地のカテゴリに該当すると判定し、図３（ａ）に示すように、メモリ番地Ａから共通のキーワード群を読み出し、これをデータメモリ７０に一時保存する。さらに、制御部８０は、メモリ番地ＡＡを参照し、図４（ａ）に示す情報から、東京ディズニーランドに固有のキーワード群が設定されているか否かをチェックし、設定されているときは、固有のキーワード群の読出しを行う。
【００３５】
読み出されたキーワード群は、図６（ｂ）に示すようにディスプレイ５１に表示される。上欄５１ａは、固有のキーワード群を示し、下欄５１ｂは、共通のキーワード群を示す。ユーザは、これらのキーワード群から所望のキーワードを選択することができ、選択されたキーワードは検索ボックス５１ｃ内に表示される。キーワードの選択の終了後に、検索ボタン５１ｄを入力すると、インターネット上に接続されたサーバーからキーワードにヒットした情報が検索される。一般にインターネットによる検索は、所望のブラウザまたはサーチエンジンによって行われ、その検索結果がディスプレイ５１上に表示される。なお、絞り込みすべきキーワードがないときは、地図名称のみを検索キーワードとして検索することも可能である。
【００３６】
次に、地域名として“いわき市”を検索する場合、制御部８０は、地域名のいわき市から、図３（ｂ）に示すように該当する市区の番地ＧＧを参照し、“いわき市”に固有のキーワード群が設定されているか否かを判定し、設定されていれば固有のキーワード群を読み出す。そして、読み出されたキーワード群がディスプレイ５１に表示され、ユーザは所望のキーワードの選択を行う。
【００３７】
他方、全国の地域名のすべてについて固有のキーワード群を設定することは現実的ではないので、細かいレベルの地域名についてはキーワード群を記憶せず、階層の上のレベルの地域名の固有のキーワードを利用する。例えば、“鹿島３丁目”を検索する場合、鹿島３丁目の固有のキーワード群がないときは、その上の市区町村レベルである“いわき市”の固有のキーワード群があるか否かを調べる。固有のキーワード群がないとき、あるいは、固有のキーワード群の数が少ないときは、さらにその上のレベルの“福島県”の固有のキーワード群があるか否かを調べるようにする。
【００３８】
図７は、“北山（長野県茅野市北山）”という地名の検索をしたときの、キーワード群の表示例を示す図である。北山のキーワード群がないため、その上の地域レベルの茅野市のキーワード群が上欄５１ｅに表示され、さらにその上の地域レベルの長野県のキーワード群が下欄５１ｆに表示されている。上記施設名称の検索時と同様に、所望のキーワードが選択され、“北山”についての検索が行われる。
【００３９】
地図名称の検索結果は、ブラウザ画面に表示されるが、好ましくは、検索した地図名称の属する地点の情報が優先的に表示されるようにする。例えば、上記した“いわき市”についての情報検索を行った場合、“いわき市”の属する福島県の情報（ホームページまたはそのサイト情報等）が優先的に表示されるようにする。また、“北山”についての検索であれば、“北山”の属する地点である“茅野市”および“長野県”の情報が優先的に表示されるようにする。
【００４０】
次に本発明の他の実施例について説明する。図８は、キーワード群の各キーワードに、季節情報を付与したものである。季節情報はキーワードに対応して記憶装置３０に記憶される。キーワードのうち季節に関連するものに、例えば、桜、海水浴、紅葉、スキー等に、季節情報として、春、夏、秋、冬を付ける。これは、地図名称の検索時の日時（季節）に応じて、キーワードの提示の優先順位を変更するものである。例えば、図７の例で言えば、夏季の検索であれば、「スキー」、「ワカサギ」という冬のキーワードは提示の優先順位を落とす。冬季に検索されたとき、「キャンプ」という夏のキーワードの提示の優先順位を落とす。これにより、季節に応じたキーワードを優先的に提示することができ、ユーザはキーワードをより選択しやすくなる。
【００４１】
本実施例によれば、施設名称や地域名等の地図名称を検索するときに、予め用意した地図名称に関連するキーワード群を提示し、この中から検索用のキーワードを選択することができるようにしたので、より効率よく簡単にキーワードの入力を行うことができ、操作性を改善することができる。
【００４２】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００４３】
上記実施例では、地図名称として、施設名称や地域名を例示したが、これ以外にも地図に表示される名称の検索を行うことは可能である。また、上記実施例では、キーワードに季節情報を付与するようにしたが、季節以外の時間情報、例えば、１月、２月等の月情報を設定するようにしてもよい。
【産業上の利用可能性】
【００４４】
本発明は、地図表示可能なパーソナルコンピュータ、ナビゲーション装置、車載用ナビゲーション装置、あるいは地図表示機能やナビゲーション機能を備えた電子システム等において利用することができる。
【図面の簡単な説明】
【００４５】
【図１】本発明の実施の形態に係る電子装置の構成を示す機能ブロック図である。
【図２】ナビゲーション装置の構成を示すブロック図である。
【図３】キーワード群の記憶内容を説明する図である。
【図４】施設名称と地域名のキーワード群を説明する図である。
【図５】本実施例に係る地図名称の検索動作を示すフォローチャートである。
【図６】施設名称の検索例を示す図である。
【図７】地域名の検索例を示す図である。
【図８】他の実施例に係るキーワードの記憶例を示す図である。
【符号の説明】
【００４６】
１：ナビゲーション装置、１０：ＧＰＳ受信機、１１：自立航法用センサ、
１２：ＶＩＣＳレシーバ、２０：操作パネル、２１：音声入力部、
２２：リモコン、２３：入力ＩＦ、３０：記憶部、４０：音声出力部、
４１：スピーカ、５０：表示制御部、５１：ディスプレイ、
６０：プログラムメモリ、７０：データメモリ、８０：制御部、
１００：電子装置、１１０：地図データ記憶手段、１３０：地図表示手段、
１４０：入力手段、１５０：キーワード記憶手段、
１６０：キーワード群表示手段、１７０：検索手段
【図１】
2005084291.tif 000003
【図２】
2005084291.tif 000004
【図３】
2005084291.tif 000005
【図４】
2005084291.tif 000006
【図５】
2005084291.tif 000007
【図６】
2005084291.tif 000008
【図７】
2005084291.tif 000009
【図８】
2005084291.tif 000010